(57)【要約】【課題】臨床検査において特定の検体の計測状況を外部に報知可能な臨床検査装置を提供する。【解決手段】実施形態の臨床検査装置は、識別部と、検出部と、出力部と、分析部とを備える。識別部は、試料容器の識別情報を取得し、試料容器の識別情報と、予め設定された試料容器の識別情報と検体の識別情報との対応情報とから、試料容器の識別情報に対応する検体の識別情報を取得する。検出部は、検体の識別情報を受けて、該検体の識別情報と、予め設定された特定の検体の識別情報とを照合することで特定の検体が収容された試料容器を検出する。出力部は、検出部において該試料容器が検出された場合に、該検出の情報を出力する。分析部は、試料容器に収容された検体を反応容器に分注して、該検体を含む液体の成分を測定する。【選択図】図１
2015179022.tif 000002
【特許請求の範囲】
【請求項１】
試料容器の識別情報を取得し、前記試料容器の識別情報と、予め設定された試料容器の識別情報と検体の識別情報との対応情報とから、前記試料容器の識別情報に対応する検体の識別情報を取得する識別部と、
前記検体の識別情報を受けて、該検体の識別情報と、予め設定された特定の検体の識別情報とを照合することで前記特定の検体が収容された前記試料容器を検出する検出部と、
前記検出部において該試料容器が検出された場合に、該検出の情報を出力する出力部と、
前記試料容器に収容された検体を反応容器に分注して、該検体を含む液体の成分を測定する分析部と、
を備えた
臨床検査装置。
【請求項２】
前記検出部は、前記検体の識別情報を受けて、前記検体の識別情報と、予め設定された前記検体の識別情報と被検者の情報との対応情報とから、前記検体の識別情報に対応する被検者の情報を取得し、該被検者の情報と、予め設定された特定の被検者の情報とを照合することで前記特定の検体が収容された前記試料容器を検出する、
ことを特徴とする請求項１に記載の臨床検査装置。
【請求項３】
前記被検者の情報は、前記被検者の識別情報又は前記被検者の個人情報である、
ことを特徴とする請求項２に記載の臨床検査装置。
【請求項４】
前記対応情報と、前記特定の検体の識別情報又は前記特定の被検者の情報とが予め記憶された記憶手段を有する、
ことを特徴とする請求項１〜請求項３のいずれか１項に記載の臨床検査装置。
【請求項５】
前記検体は、前記試料容器から前記反応容器に分注され、
前記試料容器は、前記試料容器を識別するための試料容器識別子を備え、
前記反応容器は、前記反応容器を識別するための反応容器識別子を備え、
前記識別部は、前記試料容器識別子を読取るための第１の読取部と、前記反応容器識別子を読取るための第２の読取部と、前記第１の読取部で読み取った前記試料容器の識別情報と、前記第２の読取部で読み取った前記反応容器の識別情報とを対応付ける対応付け部とを備える、
ことを特徴とする請求項１〜請求項４のいずれか１項に記載の臨床検査装置。
【請求項６】
前記出力部は、前記検出部による前記検出を外部に対して報知する報知部を備える、
ことを特徴とする請求項１〜請求項５のいずれか１項に記載の臨床検査装置。
【請求項７】
前記対応付け部は、前記検体が前記検出部において前記特定の検体であると判定をされた場合に、該特定の検体が収容された前記試料容器の識別情報と、該特定の検体が収容される前記反応容器の識別情報とを対応付け、
前記出力部は、該反応容器に収容された該特定の検体についての前記分析部による測定の情報を表示する表示部を備える、
ことを特徴とする請求項５又は請求項６に記載の臨床検査装置。
【請求項８】
前記出力部は、前記反応容器に収容された該特定の検体についての前記分析部による測定の状況を示す情報を逐次前記表示部に出力し、前記表示部は、該測定の状況を示す情報をリアルタイムで表示する、
ことを特徴とする請求項７に記載の臨床検査装置。
【請求項９】
前記表示部は、該測定の状況を示す情報に基づいて作成された、前記液体の反応過程を示すグラフをリアルタイムで表示する、
ことを特徴とする請求項８に記載の臨床検査装置。
【発明の詳細な説明】
【技術分野】
【０００１】
本発明の実施形態は、臨床検査装置に関する。
【背景技術】
【０００２】
臨床検査は、患者等の被検者の状態を客観的に評価するために行われる。この臨床検査には臨床検査装置が主に用いられる。臨床検査装置の一例として、自動分析装置が挙げられる。
【０００３】
自動分析装置は、血液や尿など検体と試薬とを混合させて、混合液の成分を測定する装置である。自動分析装置には、一つの検体に対して複数の測定項目（以下、単に「項目」という場合がある。）で分析が可能なものがある。測定項目として、例えば、生化学検査項目、免疫検査項目等が挙げられる。
【０００４】
自動分析装置には、例えば、患者の血液等の検体に対して複数の測定項目の検査が依頼される。自動分析装置は、この依頼に基づいて測定を行う。自動分析装置は、測定終了後のデータ（以下、測定データという場合がある。）に対し所定の処理を行うことで分析する。自動分析装置は、この分析結果を表示部に表示出力する。
【０００５】
自動分析装置が１つの測定項目を検査するためには、化学反応時間が必要である。この化学反応時間には、概ね３分〜１０分の時間を要している。また多くの病態は、１つの測定項目で判るものではなく、複数の測定項目の検査結果を総合して判断される。そのため、自動分析装置は、１つの検体に対し、１０〜２０項目の測定を行うことが多い。
【０００６】
また、検体に対応する被検体の種別は、一般の健康診断の受診者、患者等が挙げられる。特に、患者の種別は、外来患者、入院患者、緊急搬送された患者等、様々である。これら患者に対応する検体の中には、様々な原因で、自動分析装置による測定結果に注意を払いたいケースがある。この測定結果は、例えば、特定の患者の検査の結果、特定の測定項目の結果等である。
【０００７】
したがって、検査技師は、そのような患者を特定するために、患者固有のＩＤや、氏名、病棟情報等で識別し、該当する測定項目のデータを注意してチェックする必要がある。
【先行技術文献】
【特許文献】
【０００８】
【特許文献１】特開２０００−１６２２１４号公報
【発明の概要】
【発明が解決しようとする課題】
【０００９】
しかしながら、自動分析装置は１日に数百検体を測定する。さらに、自動分析装置には１検体あたり、数十項目の分析結果の値が、数秒〜数十秒毎に報告（出力）される。このような状況で、操作者が特定の患者に対応する検体の測定結果を把握することは、労力もかかり、間違いも発生する。
【００１０】
この実施形態は、上記の問題を解決するものであり、臨床検査において特定の検体の計測状況を外部に報知可能な臨床検査装置を提供することを目的とする。
【課題を解決するための手段】
【００１１】
上記課題を解決するために、実施形態の臨床検査装置は、識別部と、検出部と、出力部と、分析部とを備える。識別部は、試料容器の識別情報を取得し、試料容器の識別情報と、予め設定された試料容器の識別情報と検体の識別情報との対応情報とから、試料容器の識別情報に対応する検体の識別情報を取得する。検出部は、検体の識別情報を受けて、該検体の識別情報と、予め設定された特定の検体の識別情報とを照合することで特定の検体が収容された試料容器を検出する。出力部は、検出部において該試料容器が検出された場合に、該検出の情報を出力する。分析部は、試料容器に収容された検体を反応容器に分注して、該検体を含む液体の成分を測定する。
【図面の簡単な説明】
【００１２】
【図１】第１の実施形態の自動分析装置の機能的構成を示すブロック図。
【図２】分析部の詳細構成及び制御構成を示す斜視図。
【図３】特定検体の情報の一例を示す表。
【図４】検体と試料容器との対応情報の一例を示す表。
【図５】特定検体と試料容器との対応情報の一例を示す表。
【図６】反応容器と載置位置との対応情報の一例を示す表。
【図７】第１の実施形態の自動分析装置の動作の一例を示すフローチャート。
【図８】特定検体と反応容器との対応情報の一例を示す表。
【図９】特定検体の検体情報が表示された表示画面の一例を示す図。
【図１０】特定検体の測定結果が表示された表示画面の一例を示した図。
【図１１】第１の実施形態の自動分析装置の動作の他の一例を示すフローチャート。
【図１２】特定検体の測定状況を示す表示画面の一例を示した図。
【図１３】追跡検体登録の入力画面の一例を示した図。
【図１４】検体と被検者との対応情報の一例を示す表。
【図１５】特定情報と注目項目との対応情報の一例を示す表。
【図１６】第２の実施形態の自動分析装置の動作の一例を示すフローチャート。
【図１７】第２の実施形態の自動分析装置の動作の他の一例を示すフローチャート。
【発明を実施するための形態】
【００１３】
＜第１の実施形態＞
この実施形態の臨床検査装置の一例として、自動分析装置について各図を参照して説明する。
【００１４】
［自動分析装置］
自動分析装置１０は、分注された被検試料（以下「検体」という場合がある）と試薬とを混合して反応させ、その混合液を分析することにより、混合液の成分を測定する装置である。
【００１５】
自動分析装置１０の構成について図１及び図２を参照して説明する。図１は、自動分析装置１０の機能的構成を示すブロック図である。図２は、分析部２４の詳細構成を示す斜視図である。
【００１６】
［自動分析装置の機能的構成］
図１に示すように、自動分析装置１０は、分析部２４と、分析制御部２５と、データ処理部３０と、識別部４０と、記憶部５０と、検出部６０と、システム制御部７０と、操作部８０と、出力部９０とを備える。また、自動分析装置１０には記憶手段２００が接続されている。
【００１７】
［分析制御部］
分析制御部２５は、機構部２６と、制御部２７とを有する。分析部２４は分析制御部２５により制御される。機構部２６は、モータやギア等を含んで構成され、駆動力を発生して分析部２４の各ユニットに伝達させることで、分析部２４の各ユニットを駆動させる。
【００１８】
［分析部］
分析部２４は、検体及び試薬の各液体を含む混合液を生成し、その混合液の成分を測定する。以下に分析部２４の構成の詳細について説明する。
【００１９】
［分析部の構成］
図２は、分析部２４の構成の詳細及び制御構成を示す図である。図２を参照して分析部２４の構成の詳細に説明する。
【００２０】
分析部２４は、検体と試薬との混合液を吸光度測定して、測定データを出力する。測定データは、例えば、吸光度データである。測定データは、検体データの他に、予備測定データが挙げられる。予備測定データは、キャリブレーションデータ、精度コントロールデータ、検体ブランクデータ、試薬ブランクデータ等が挙げられる。検体データは、上記の吸光度測定において、検体を被検者の血液、血漿等としたデータである。
【００２１】
制御部２７は、機構部２６に指示することで、分析部２４が有する各ユニットの駆動を制御する。各ユニットは、第１試薬庫２、第２試薬庫３、反応庫５、ディスクサンプラ６、及び、アーム１４（試料分注プローブ７、第１試薬分注プローブ８、第２試薬分注プローブ９の各アーム）を含む。
【００２２】
〔試料容器〕
検体（試料）は、試料容器６１に収納されている。試料容器６１は、回転可能な円形状のディスクサンプラ６及び／又はラックサンプラ６５上に載置されたラック６３に載置される。ディスクサンプラ６及びラックサンプラ６５は、所望の検体を試料分注プローブ７による吸引位置へ搬送する。
【００２３】
試料容器６１には、試料容器６１を識別するための試料容器ＩＤが付されている。試料容器ＩＤが、被検者ＩＤと対応付けられることで、識別部４０は、試料容器６１内の検体が、どの被検者から採取されたものなのかを識別することができる。ＩＤは、例えば、ＵＩＤ（Ｕｎｉｑｕｅ  ＩＤ）が挙げられる。
【００２４】
試料容器６１の搬送について、まず、試料容器６１がディスクサンプラ６に載置されている場合について説明する。記憶部５０には、試料容器と載置位置との対応情報が予め記憶されている。試料容器と載置位置との対応情報とは、試料容器ＩＤと、この試料容器ＩＤに対応する試料容器６１が載置されたディスクサンプラ６の位置との対応情報である。ディスクサンプラ６には、例えば、載置位置を特定するための載置位置番号が付されている。このとき、試料容器とディスクサンプラ６における載置位置との対応情報は、例えば、試料容器ＩＤと載置位置番号とが対応付けられた情報となる。
【００２５】
また、ディスクサンプラ６に載置された試料容器６１を識別して、試料容器６１の識別情報を取得し、この情報に基づいて試料容器と載置位置との対応情報を生成することもできる。試料容器と載置位置との対応情報は、同様に記憶部５０に記憶される。この場合、試料容器と載置位置との対応情報は、例えば、以下に示すようにして生成される。
【００２６】
分析部２４には、試料容器識別子読取部６２である、第１読取部６２Ａ及び第２読取部６２Ｂが備えられている。試料容器６１には、試料容器ＩＤを識別するための試料容器識別子が備えられている。第１読取部６２Ａは、試料容器６１がディスクサンプラ６に載置されている場合、その試料容器６１に備えられた試料容器識別子を読み取る。この試料容器識別子は、例えば、ラベルである。このラベルには、例えば、バーコード、ＩＣチップ等が備えられている。
【００２７】
第１読取部６２Ａで読み取られた試料容器６１の識別情報は、後述する対応付け部４３により、この試料容器６１が載置されたディスクサンプラ６の位置情報に対応付けられる。この対応情報は、試料容器と載置位置との対応情報として記憶部５０に記憶される。
【００２８】
次に、試料容器６１がラックサンプラ６５に載置されている場合について説明する。ラックサンプラ６５は、搬送路６４を備える。この搬送路６４上には、試料容器６１を複数備えたラック６３が複数載置されている。ラック６３には、例えば、試料容器６１が一列に並べられて載置されている。ラック６３は、搬送路６４上を移動することができる。ラック６３の移動方向は、例えば、試料容器６１が並べられた方向と直交する方向である。
【００２９】
ラックサンプラ６５に備えられたラック６３は、搬送路６４上を移動することで、分析部２４の試料分注プローブ７の近傍まで搬送される。試料分注プローブ７の近傍まで搬送されたラック６３は、例えば、試料容器６１が並べられた方向にピッチ移動する。このピッチ移動により、所望の検体を試料分注プローブ７による吸引位置へ搬送することができる。
【００３０】
ラックサンプラ６５が試料分注プローブ７の近傍まで搬送されると、第２読取部６２Ｂは、試料容器６１に付された試料容器識別子を読み取る。第２読取部６２Ｂで読み取られた試料容器６１の識別情報は、後述する対応付け部４３により、この試料容器６１が載置されたラックサンプラ６５の位置情報に対応付けられる。この対応情報は、試料容器と載置位置との対応情報として記憶部５０に記憶される。ラックサンプラ６５の位置情報には、ラック６３における試料容器６１の情報、ラックサンプラ６５におけるラック６３の情報が含まれる。ラックサンプラ６５は、試料容器識別子を読み取り可能に構成されている。また、ラックサンプラ６５には、例えば、ラック識別子が付されている。例えば、ラックサンプラ６５に載置されている試料容器６１に収納された検体を、全て同一被検者のものとする場合、ラック識別子は、試料容器識別子として扱うことができる。つまり、ラック識別子は、ラックサンプラに載置された試料容器６１の試料容器識別子となる。
【００３１】
〔試薬容器〕
試薬容器４は、第１試薬庫２及び第２試薬庫３に載置される。試薬容器４には、検体の測定項目に対し選択的に反応する各種の第１試薬又は第１試薬と対の各種の第２試薬が収納される。
【００３２】
第１試薬が収容された試薬容器４は、第１試薬庫２に載置され、第２試薬が収納された試薬容器４は、第２試薬庫３に載置される。第１試薬庫２及び第２試薬庫３には、回動可能な円形状の試薬ラック１が収納されている。各試薬容器４は、この試薬ラック１に環状に並んで収納されている。
【００３３】
〔反応容器〕
反応容器５１は、反応庫５に載置される。反応容器５１には、検体及び試薬が分注される。反応容器５１は、回動可能な円形状のカセット部材（図示省略）に環状に並んで載置される。反応容器５１には、反応容器５１を識別するための反応容器ＩＤが付されている。
【００３４】
また、記憶部５０には、反応容器ＩＤと、この反応容器ＩＤに対応する反応容器５１の位置情報とが対応付けられた反応容器対応情報が予め記憶されている。反応容器５１の位置情報は、反応容器５１が載置された反応庫５の位置情報である。
【００３５】
反応庫５の近傍には、反応容器識別子読取部５２が備えられている。反応容器５１には、反応容器ＩＤを識別するための反応容器識別子を備えている。この反応容器識別子は、例えば、ラベルである。このラベルには、例えば、バーコード、ＩＣチップ等が備えられている。
【００３６】
反応庫５には、反応容器識別子を識別可能な窓部（図示省略）を有しており、反応容器識別子読取部５２はこの窓部を介して反応容器識別子を読み取ることができる。反応庫５が回転することで反応容器５１が反応容器識別子読取部５２の位置に搬送されると、反応容器識別子読取部５２は、この反応容器５１に付された反応容器識別子を読み取る。
【００３７】
読み取った反応容器５１の情報は、後述する対応付け部４３により、この反応容器５１が載置された反応庫５の位置に対応付けられる。この対応情報は反応容器情報として記憶部５０に記憶される。反応容器識別子読取部５２による読取りは、反応庫５に載置された全ての反応容器５１について行われる。
【００３８】
また、反応容器５１への検体及び試薬の分注は、試料分注プローブ７、第１試薬分注プローブ８、及び、第２試薬分注プローブ９を用いることにより行われる。
【００３９】
〔試料分注プローブ〕
試料分注プローブ７は、ディスクサンプラ６の回動又はラックサンプラ６５によるラック６３の移動により規定の吸引位置に搬送された試料容器６１から検体を吸引する。試料分注プローブ７は、規定の吐出位置に搬送された反応容器５１内に吸引した検体を吐出する。このとき、対応付け部４３は、この検体を識別する検体ＩＤと、この検体が吐出された反応容器５１を識別するための反応容器ＩＤとを対応付ける。この対応付けにより、例えば、図８に示すような特定検体と反応容器との対応情報を示す表が作成される。
【００４０】
〔第１試薬分注プローブ〕
第１試薬分注プローブ８は、第１試薬庫２の試薬ラック１の回動により規定の吸引位置に搬送された試薬容器４から第１試薬を吸引する。第１試薬分注プローブ８は、規定の吐出位置に搬送された反応容器５１内に吸引した第１試薬を吐出する。
【００４１】
〔第２試薬分注プローブ〕
第２試薬分注プローブ９は、第２試薬庫３の試薬ラック１の回動により規定の吸引位置に搬送された試薬容器４から第２試薬を吸引する。第２試薬分注プローブ９は、規定の吐出位置に搬送された反応容器５１内に吸引した第２試薬を吐出する。
【００４２】
反応庫５の外周には、更に、撹拌ユニット１１、測光ユニット１２、及び、洗浄ユニット１３が設けられている。検体及び試薬が分注された反応容器５１は、カセット部材（図示省略）の回動により順に撹拌ユニット１１、測光ユニット１２、及び、洗浄ユニット１３の攪拌、測定、及び洗浄位置に搬送される。
【００４３】
〔撹拌ユニット〕
撹拌ユニット１１は、１サイクル毎に、攪拌位置に停止した反応容器５１内における検体及び試薬（第１試薬、第２試薬）の混合液を攪拌する撹拌部である。
【００４４】
〔洗浄ユニット〕
洗浄ユニット１３は、洗浄・乾燥位置に停止した反応容器５１内の測定を終えた混合液を吸引するとともに、反応容器５１内を洗浄・乾燥する。
【００４５】
〔測光ユニット〕
測光ユニット１２は、反応容器５１に収容された混合液を測光位置において吸光度測定する測定部である。測光ユニット１２は、この混合液の吸光度を測定した後、この測定データをデータ処理部３０に出力する。データ処理部３０は、吸光度から検量線に基づいて混合液の濃度を求める。それにより、混合液の成分を測定することが可能となる。
【００４６】
［データ処理部］
データ処理部３０は、演算部３１とデータ記憶部３２を備える。データ処理部３０は、分析部２４から出力された混合液の成分の測定結果を受けて、混合液中の特定物質の濃度を算出処理する。データ処理部３０は、この算出処理により、分析データ、検量データ等を作成処理し、必要に応じてこれらデータを記憶部５０等に記憶させる。
【００４７】
特定物質が複数種類に亘る場合、自動分析装置１０は、特定物質ごとに測定項目を設定し、複数の測定項目で測定を行う。さらに、データ処理部３０は、それぞれの測定項目において特定物質の濃度を算出処理して分析データ等を作成処理する。この分析データを含む測定データが出力される。
【００４８】
〔演算部〕
演算部３１は、分析部２４の測光ユニット１２から出力された標準データや検体データを処理して各測定項目の検量データ、分析データ等を作成処理する。
【００４９】
〔データ記憶部〕
データ記憶部３２は、演算部３１で作成処理された検量データ、分析データ等を必要に応じて記憶する。
【００５０】
また、データ処理部３０は、図示しないグラフ作成部を備えていてもよい。グラフ作成部は、演算部３１で作成処理された各データ、データ記憶部３２に記憶された各データ等に基づいてグラフを作成する。作成されるグラフは、例えば、混合液の反応過程を示す反応タイムコースである。
【００５１】
［記憶部］
記憶部５０は、各種の情報を記憶している。記憶部５０は、例えば、検体情報、対応情報、特定の検体（以下、特定検体ともいう）の情報等を予め記憶している。つまり、記憶部５０は、検体情報記憶部、被検者情報記憶部、対応情報記憶部の機能を少なくとも備えている。また、記憶部５０は、システム制御部７０からの指示に基づいて、記憶部５０に記憶された情報を各部に出力する。
【００５２】
検体情報は、検体を識別するための情報である。検体情報は、例えば、検体ＩＤ、患者名等が挙げられる。検体ＩＤは、例えば、検体に付された検体ＵＩＤが挙げられる。例えば、識別部４０は、この検体ＵＩＤに基づいて特定検体の識別をする。検体ＩＤは、自動分析装置１０によって測定される全ての検体に予め付されている。
【００５３】
記憶部５０は、自動分析装置１０による測定動作が開始される前に、特定検体の情報を予め記憶している。自動分析装置１０による測定動作の開始前とは、例えば、試料容器識別子読取部６２によって試料容器６１に付された試料容器識別子の読取りが開始される前をいう。
【００５４】
特定検体とは、通常の検体と区別された検体をいう。特定検体は、自動分析装置１０の測定動作中において操作者等に対する報知が必要な検体である。測定動作中とは、例えば、検体測定の開始時、検体測定の終了時等が挙げられる。また、特定検体は、自動分析装置１０の測定動作中において操作者等による監視、追跡等が必要な検体である。このような検体としては、例えば、測定結果に異常が生じる蓋然性が高い検体、早急に測定結果を確認したい検体等が挙げられる。これら検体は、他の検体と区別するために特定検体となる。操作者等は、自動分析装置１０を操作する操作者、自動分析装置１０の近くにいる者等を含む。
【００５５】
この実施形態において、特定検体は、自動分析装置１０の操作者等によって識別される。特定検体は、例えば、その特定検体が特定情報を有するか否かによって識別される。特定情報とは、特定検体を識別するための情報である。特定情報は、例えば、分析部２４（例えば、測光ユニット１２）による測定において異常測定の原因となりうる情報である。特定情報は、例えば、特定検体に対応する被検者の個人情報が挙げられる。被検者の個人情報は、例えば、年齢、特定の既往症の情報、特定の羅患情報、特定の投薬情報等が挙げられる。
【００５６】
また、記憶部５０は、自動分析装置１０又は、その他の分析装置によって新たに取得された検査情報を記憶することができる。また、特定情報を、この検査情報に含まれる情報の中から適宜設定することもできる。
【００５７】
操作者等は、記憶部５０等に記憶された検体に対応する検体情報を参照し、その検体情報の中に、予め設定された特定情報を含むか否かを判断する。検体情報に特定情報が含まれる場合、操作者は、その検体を特定検体と判断する。操作者等は、特定検体と判断した検体を識別する検体ＩＤを、操作部８０等から入力する。この検体ＩＤの入力は、自動分析装置１０の測定動作の開始前に、操作者等によって行われる。この検体ＩＤの入力は、例えば、自動分析装置１０によってこの検体が測定される日よりも前の日において行われる。この検体ＩＤの入力は、例えば、検体の測定予定日ごとに一括して行われる。この検体ＩＤの入力は、例えば、自動分析装置１０の操作者以外の者も行うことができる。自動分析装置１０の操作者以外の者とは、例えば、検査技師、医師等である。例えば、検査技師は、図示しない外部端末を用いて、自動分析装置１０で測定される検体に対応する検体情報を参照する。検査技師は、この検体情報に基づいて特定検体に該当する検体を特定する。検査技師は、さらに、特定検体として特定した検体を識別する検体ＩＤを外部端末から入力する。入力された情報は、図示しないネットワークを介して記憶部５０、後述する記憶手段２００等に記憶される。
【００５８】
操作者等によって特定検体として特定された検体を識別する検体ＩＤ（以下、特定検体の検体ＩＤという）が、操作者等による操作によって自動分析装置１０に入力されると、記憶部５０は、その検体ＩＤを特定検体の情報として記憶する。図３は、特定検体の情報の一例を示す表である。図３に示すように、この表には、操作者等によって入力された特定検体の検体ＩＤの情報が示されている。
【００５９】
自動分析装置１０には、記憶手段２００が接続されている。記憶手段２００は、例えば、多くの医用情報が統合された情報システムである。
【００６０】
情報システムは、例えば、臨床検査情報システム（Laboratory Information System; ＬＩＳ）、病院情報システム（Hospital Information System; ＨＩＳ）等が挙げられる。ＬＩＳには、例えば、患者の治療実施情報、患者の投薬情報等が保管されている。ＨＩＳには、例えば、患者のカルテ情報等が保管されている。特定情報は、これらに挙げた情報の中から適宜設定することもできる。自動分析装置１０に記憶手段２００が接続されている場合、記憶手段２００は、記憶部５０の機能を代替することができる。
【００６１】
対応情報は、例えば、検体と試料容器との対応情報、反応容器と載置位置との対応情報等が挙げられる。検体と試料容器との対応情報は、例えば、検体が収容された試料容器６１の試料容器ＩＤと、その検体の検体ＩＤとが対応付けられることで構成されている。図４は、検体と試料容器との対応情報の一例を示す表である。
【００６２】
図４に示すように、この表には、検体ＩＤと試料容器ＩＤとの対応関係が示されている。この試料容器ＩＤに対応する試料容器６１には、この検体ＩＤに対応する検体が収容されている。これにより、試料容器６１とその試料容器６１に収納された検体との対応関係を知ることができる。検体と試料容器との対応情報は、記憶部５０に予め記憶されている。
【００６３】
図５は、特定検体と試料容器との対応情報の一例を示す表である。記憶部５０には、例えば、自動分析装置１０による測定前において、図５に示すような、特定検体と試料容器との対応情報が記憶されている。この対応情報は、特定検体の情報とその特定検体が収容された試料容器の情報との対応付けを示した情報である。この対応情報により、特定検体が収容された試料容器を特定することができる。この対応情報は、特定検体の情報が入力された後に、この特定検体の情報と、検体と試料容器との対応情報とに基づいて後述する対応付け部４３によって作成される。
【００６４】
図６は、反応容器と載置位置との対応情報の一例を示す表である。この表は、反応容器５１の情報と載置部５ａにおける反応容器５１の位置との対応情報を示している。図６に示すように、この表には、反応容器ＩＤと反応庫５における載置位置番号との対応関係が示されている。
【００６５】
反応容器と載置位置との対応情報は、反応容器５１の反応庫５における位置情報である。反応庫５における反応容器５１の載置部５ａには、例えば、特定位置を基準（例えば、０）として順番に番号（１〜ｎ）が付されている。反応容器と載置位置との対応情報は、載置部５ａに付された番号と、反応容器５１の反応容器ＩＤとが対応付けられた対応情報である。反応容器５１は、反応容器と載置位置との対応情報に基づいて載置部５ａに載置される。
【００６６】
［識別部］
識別部４０は、読取部４１と、識別処理部４２、対応付け部４３とを備える。識別部４０は、反応容器に分注された検体に対応する被検者を識別する。
【００６７】
〔読取部〕
読取部４１は、識別子を読み取って、その読取情報を識別処理部４２に送信する。識別子の読取りは、例えば、非接触で行われる。読取部４１は、前述した試料容器識別子読取部６２及び反応容器識別子読取部５２を含む。
【００６８】
読取部４１は、例えば、図示しない光照射装置を備える。光照射装置は、識別子に対して赤外光または可視光を照射して識別子からの反射光を受信する。受信した反射光の情報は識別処理部４２に出力される。
【００６９】
また、読取部４１は、例えば、図示しない撮影装置を備える。撮影装置は識別子を撮影して画像情報を得る。この撮影情報は識別処理部４２に送信される。
【００７０】
読取部４１が光照射装置又は撮影装置の構成を備える場合、識別子は、例えば、バーコードを用いることができる。この場合、読取部４１は、前記の構成を備えるバーコードリーダを備える。また、このときの識別子であるバーコードは、１次元バーコードであっても、２次元バーコードであってもよい。
【００７１】
また、読取部４１は、例えば、図示しない読取装置を備える。読取装置は識別子の情報を非接触で読み取って識別情報を得る。この識別情報は、識別処理部４２に送信される。読取部４１が読取装置の構成を有する場合、識別子は、例えば、読取部４１と非接触で情報のやりとりが可能なＩＣチップを備える。このＩＣチップは、読取部４１からキャリアを送信して電磁誘導によりＩＣチップに電力を供給する。さらに、キャリアの変調により読取部４１とＩＣチップとの間で通信を行う。
【００７２】
〔識別処理部〕
識別処理部４２は、読取部４１から受信した読取情報を処理することにより、識別子の情報を取得する。識別処理部４２は、さらに、この識別子の情報を検出部６０に出力する。識別処理部４２は、例えば、試料容器識別子読取部６２により取得された試料容器識別子の情報から試料容器ＩＤを取得し、この試料容器ＩＤを検出部６０に出力する。
【００７３】
また、識別処理部４２は、取得した識別子の情報から、この識別子に対応する検体情報を取得する。識別処理部４２は、さらに、この検体情報を検出部６０に出力する。識別処理部４２は、例えば、試料容器識別子から取得された試料容器ＩＤと、図４に示す検体と試料容器との対応情報とに基づいて、この試料容器ＩＤに対応する試料容器に収容された検体の検体ＩＤを取得する。識別処理部４２は、取得した検体ＩＤを検出部６０に出力する。
【００７４】
読取部４１が、例えば、光照射装置である場合、識別処理部４２は、受信した反射光の情報を解析処理することによって、識別子の情報を取得する。
【００７５】
また、読取部４１が、例えば、撮影装置である場合、識別処理部４２は、受信した画像情報を解析処理することによって、識別子の情報を取得する。
【００７６】
〔対応付け部〕
対応付け部４３は、分析部２４による測定動作が開始され、反応容器５１に検体が分注されると、反応容器５１の識別情報と、この反応容器５１に分注された検体を収納する試料容器６１の識別情報とを対応付ける。具体的には、対応付け部４３は、検体が分注された反応容器５１の反応容器ＩＤと、分注された検体を収納している試料容器６１の試料容器ＩＤとを対応付ける。対応付け部４３は、さらに、識別処理部４２から、この試料容器ＩＤに対応する検体ＩＤを取得して、検体と反応容器５１との対応情報を作成する。
【００７７】
［検出部］
検出部６０は、記憶部５０に予め記憶された特定検体の検体ＩＤに基づいて、分析部２４において測定が行われる検体から特定検体を検出する。この検出の一例として、識別処理部４２から検体ＩＤを受け、この検体ＩＤに基づいて特定検体を検出する場合を以下に示す。
【００７８】
検出部６０は、識別処理部４２から受けた検体ＩＤを受けて、この検体ＩＤと、記憶部５０に予め記憶された特定検体の検体ＩＤとを照合する。
【００７９】
この照合の結果、識別処理部４２から受けた検体ＩＤが、特定検体の検体ＩＤと一致した場合、検出部６０は、この検体ＩＤに対応する検体が特定検体と判定する。検出部６０は、さらに、検体と試料容器との対応情報から特定検体と判定された検体が収納された試料容器６１を特定する。
【００８０】
検出の他の一例として、識別処理部４２から試料容器ＩＤを受け、この検体ＩＤに基づいて特定検体を検出する場合を以下に示す。
【００８１】
検出部６０は、識別処理部４２から試料容器ＩＤを受けると、記憶部５０に記憶された検体と試料容器との対応情報に基づいて、この試料容器ＩＤに対応する検体ＩＤを取得する。
【００８２】
検出部６０は、取得した検体ＩＤと、記憶部５０に予め記憶されている特定検体の検体ＩＤとを照合する。
【００８３】
この照合の結果、取得した検体ＩＤが、特定検体の検体ＩＤと一致した場合、検出部６０は、取得した検体ＩＤに対応する検体を特定検体と判定する。
【００８４】
検出部６０において特定検体が検出された場合、検出部６０は、例えば、この検出情報を、この特定検体の関連情報とともに出力部９０に出力する。また、検出部６０は、例えば、この検出情報を、この特定検体の関連情報とともに記憶部５０に記憶させてもよい。特定検体の関連情報とは、この特定検体に対応する患者の情報である。この情報としては、例えば、患者ＩＤ、患者名等が挙げられる。この情報は、例えば、検出された特定検体の測定中に表示部９１に備えられた表示画面に表示される。
【００８５】
［システム制御部］
システム制御部７０は、分析制御部２５と、データ処理部３０と、識別部４０と、検出部６０と、出力部９０とを統括して制御する。操作部８０は、システム制御部７０に対して各種コマンド信号の入力操作等を行う。
【００８６】
［操作部］
操作部８０は、例えば、マウス、キーボード等の独立した操作入力機能を有するものが挙げられる。また、タッチパネル等の操作入力機能と表示機能とが組み合わされたものであってもよい。
【００８７】
操作部８０によってなされた操作入力は、例えば、システム制御部７０に命令として入力される。この操作入力は、操作部８０を構成する操作機器から直接的に入力されたものであってもよいし、表示部９１に表示されたボタン等のオブジェクトをマウス等によって選択する等の間接的に入力されたものであってもよい。
【００８８】
［出力部］
出力部９０は、表示部９１、印刷部９２、報知部９３を備える。出力部９０は、データ処理部３０、操作部８０、検出部６０等から受けた情報を、システム制御部７０の制御に基づいて外部に出力する。この出力は表示部９１による表示出力、印刷部９２による印刷出力、報知部９３による報知出力等が挙げられる。
【００８９】
［自動分析装置の動作］
次に、この自動分析装置１０の動作について説明する。図７は、この自動分析装置１０の動作の一例を示すフローチャートである。この説明においては、図１〜図６及び図８〜図１０を適宜参照する。
【００９０】
この自動分析装置１０は、記憶部５０に予め登録された特定検体に該当する検体の吸光度測定が開始された時に、この測定の開始を外部に報知するように動作する。さらに、特定検体の測定が終了する時に、測定の終了があったことを外部へ報知するように動作する。さらに、特定検体の測定終了後にその測定結果を表示画面に表示するように動作する。
【００９１】
まず、自動分析装置１０の操作者は、自動分析装置１０による検体の測定前準備を行う（ステップＳ００１）。この測定前の準備において、操作者は測定がされる検体から特定検体に該当する検体を特定する（ステップＳ００２）。特定検体は、検体に対応する検体情報に特定情報が含まれているか否かによって識別される。
【００９２】
操作者は、特定検体と特定した検体の検体ＩＤを自動分析装置１０に入力する（ステップＳ００３）。入力された検体ＩＤは、特定検体の検体ＩＤとして記憶部５０に記憶される。操作者は、特定検体の検体ＩＤを、逐次記憶部５０に記憶させることで、例えば、図３に示すような特定検体の情報を作成する（ステップＳ００４）。
【００９３】
次に、自動分析装置１０による検体の測定を開始する（ステップＳ００５）。検体の測定が開始されると、検出部６０は、測定に用いられる検体を収容した試料容器６１の情報から、特定検体を検出する（ステップＳ００６）。検出部６０による特定検体の検出は、例えば、以下のようにして行われる。
【００９４】
自動分析装置１０が測定動作を開始すると、ラックサンプラ６５は、複数のラック６３を試料分注プローブ７の規定の吸引位置に搬送するように動作する。ラック６３には、検体がそれぞれ収納された複数の試料容器６１が載置されている。
【００９５】
複数の試料容器６１にはそれぞれ試料容器識別子であるラベルが付されている。ラベルには試料容器ＩＤの情報を含む試料容器バーコードが表示されている。試料容器識別子読取部６２であるバーコードリーダは、この試料容器バーコードを読み取り、その読取情報を識別処理部４２に出力する。識別処理部４２は、この読取情報を受けて試料容器６１を識別する情報である試料容器ＩＤを取得する。試料容器６１の識別方法は、例えば、以下に挙げるような方法がある。
【００９６】
試料容器６１の識別方法の第１の例として、試料分注プローブ７の規定の吸引位置において試料容器６１の識別子を読取り、この読取情報に基づいて試料容器６１を識別する方法が挙げられる。試料容器６１は、ラックサンプラ６５により試料分注プローブ７の規定の吸引位置に搬送される。バーコードリーダは、この規定の吸引位置において、試料容器バーコードの読取りが可能なように構成されている。バーコードリーダは、例えば、この規定の吸引位置において、試料容器バーコードの読取りが可能な位置に設けられている。
【００９７】
この規定の吸引位置に試料容器６１が搬送されると、バーコードリーダは、この試料容器６１に付された試料容器バーコードを読取り、試料容器バーコード読取情報を取得する。バーコードリーダによる試料容器バーコードの読取りは、試料容器６１が試料分注プローブ７の規定の吸引位置にあれば、どのようなタイミングで行われてもよい。バーコードリーダは、例えば、試料分注プローブ７により試料容器６１内の検体が吸引される前に、試料容器バーコードを読取ることができる。バーコードリーダは、取得した試料容器バーコード読取情報を識別処理部４２に出力する。
【００９８】
識別処理部４２は、試料容器バーコード読取情報を受けて、試料容器バーコード読取情報から試料容器ＩＤを取得し、これを検出部６０に出力する。検出部６０は、試料容器ＩＤを受けて、記憶部５０に予め記憶された検体と試料容器との対応情報に基づいて検体ＩＤを取得する。検体と試料容器との対応情報は、例えば、図４に示したものが用いられる。
【００９９】
検出部６０は、さらに、記憶部５０に記憶された特定検体の情報と、取得した検体ＩＤとを照合する。具体的に、特定検体の情報に登録された特定検体の検体ＩＤと、取得した検体の検体ＩＤとを照合する。この照合の結果、特定検体の情報に登録された特定検体の検体ＩＤと合致する検体があれば、その検体が特定検体として検出される。
【０１００】
また、試料容器６１の識別方法の第２の例として、ラックサンプラ６５における試料容器６１の位置情報を、予め記憶部５０に記憶させておく方法が挙げられる。この位置情報から、試料分注プローブ７により検体の吸引が行われた試料容器６１を特定することができる。これは、ラックサンプラ６５における各ラック６３の位置を特定した後に、ラック６３における各試料容器６１の位置を特定することで行われる。
【０１０１】
ラック６３には、識別子であるラベルが付されており、このラベルにはラックＩＤの情報を含むラックバーコードが表示されている。このラックバーコードは、図示しないラック識別子読取部であるバーコードリーダによって読み取られる。読み取られた情報は、そのラック６３のラックサンプラ６５における位置情報と対応付けられて記憶部５０に記憶される。これにより、ラックサンプラ６５における各ラック６３の位置を特定することができる。
【０１０２】
試料容器バーコードは、試料容器識別子読取部６２であるバーコードリーダによって読み取られる。読み取られた情報は、その試料容器６１のラック６３における位置情報と対応付けられて記憶部５０に記憶される。これにより、ラック６３における各試料容器６１の位置が特定される。バーコードリーダは、試料容器６１に付されたラベルに表示された試料容器バーコードを読み取り可能な場所に設けられていれば、どのような場所に設けられていてもよい。
【０１０３】
上述した処理により、ラックサンプラ６５における試料容器６１の位置が特定され、試料容器ＩＤと位置情報とが対応付けられた対応情報が記憶部５０に記憶される。この対応情報と分析制御部２５の制御情報とに基づいて、例えば、識別部４０は試料分注プローブ７によって検体が吸引された試料容器６１を特定することができる。さらに、特定された試料容器６１の試料容器ＩＤに基づいて、検出部６０は、前記と同様にして特定検体を検出する。
【０１０４】
次に、試料容器６１から反応容器５１へ検体を分注する（ステップＳ００７）。この分注は、試料分注プローブ７によって行われる。
【０１０５】
このとき、検出部６０は、反応容器５１に分注された検体が、特定検体に該当するかを判定する（ステップＳ００８）。検出部６０に備えられた図示しない判定部は、分注元の試料容器６１に収容された検体が特定検体であるか否かの判定をする。検出部６０は、図５に示す特定検体と試料容器との対応情報に基づいてこの判定を行う。
【０１０６】
反応容器５１に分注された検体が、特定検体に該当すると検出部６０が判定した場合（ステップＳ００８：ＹＥＳ）、検出部６０は、この判定の情報を対応付け部４３に出力する。この判定の情報を受けた対応付け部４３は、この特定検体に対応する検体ＩＤと分注がされた反応容器ＩＤとを対応付ける（ステップＳ００９）。この対応情報は、記憶部５０に記憶される。この対応情報は、特定検体が反応容器５１に分注される度に、対応付け部４３によって作成され、併せて記憶部５０に出力される。その結果、記憶部５０には、図８に示すような特定検体と反応容器との対応情報を示す表が作成される。特定検体と反応容器との対応情報を示す表には、反応容器５１を識別する反応容器ＩＤと、特定検体である検体を識別する検体ＩＤとが対応付けられて示されている。
【０１０７】
一方で、反応容器５１に分注された検体が、検出部６０において検出された特定検体に該当しないと検出部６０が判定した場合（ステップＳ００８：ＮＯ）、つまり通常検体の場合には、前述の対応付け処理は行わずに通常の測定処理を行う（ステップＳ０１０）。通常の測定処理は、例えば、以下に示すようにして行われる。試薬分注プローブは、反応容器５１に収容された通常検体に試薬をさらに分注して反応させ混合液を調製する。測光ユニット１２は、この混合液の成分を測定して、その測定結果を出力部９０に出力する。この出力が行われると、自動分析装置１０は、その検体における測定動作を終了する。
【０１０８】
また、ステップＳ００８における判定の処理は、ステップＳ００６における試料容器６１の識別処理に対応して行われる。
【０１０９】
ステップＳ００６において、例えば、上述した試料容器６１の識別方法の第１の例に基づいて試料容器６１を識別する場合、検出部６０は、ステップＳ００６における処理に続けてステップＳ００８の処理を行う。その理由は、この例において、試料容器バーコードの読取りと、試料分注プローブ７による分注とがほぼ同時に行われるからである。
【０１１０】
ステップＳ００６において、例えば、上記した試料容器６１の識別方法の第２の例に基づいて試料容器６１を識別する場合、検出部６０は、まず、記憶部５０に記憶された試料容器の位置情報を参照して試料容器６１を特定する。検出部６０は、次に、この試料容器６１に収容された検体を特定した後に、ステップＳ００８における処理を行う。この例において、試料分注プローブ７によって分注される試料容器６１の順番が既知である場合、ステップＳ００８の処理をするタイミングを事前に設定しておくことができる。
【０１１１】
また、ステップＳ００８の処理においては、特定検体が分注される反応容器５１を特定する必要がある。反応容器５１の特定は、例えば以下に示す処理によって行うことができる。
【０１１２】
反応容器５１の特定の第１の例として、試料分注プローブ７によって反応容器５１に検体が分注された時に、この検体が分注された反応容器５１を特定することが挙げられる。
【０１１３】
反応容器識別子読取部５２は、試料分注プローブ７によって反応容器５１に検体が分注された時に、この反応容器５１に付された反応容器識別子を読み取る。反応容器識別子読取部５２は、この読取情報を識別処理部４２に出力するこの読取り情報を受けた識別処理部４２は、この読取上方に対応する反応容器ＩＤを取得し、これを記憶部５０に出力する。記憶部５０は、この反応容器ＩＤを記憶する。この場合、反応容器識別子は、例えば、反応容器バーコードである。反応容器識別子読取部５２は、例えば、バーコードリーダである。
【０１１４】
反応容器５１の特定の第２の例として、自動分析装置１０による検体の測定前準備において、反応容器と載置位置との対応情報を予め作成することが挙げられる。
【０１１５】
反応容器と載置位置との対応情報は、例えば、以下に示すようにして作成される。まず、反応容器識別子読取部５２は、載置部５ａに載置された反応容器５１に付された反応容器識別子を読取る。反応容器識別子読取部５２は、任意の位置に載置された反応容器５１に付された反応容器識別子を読取った後に、反応庫５が回転する方向に隣り合う反応容器５１に付された反応容器識別子を読取る。反応容器識別子読取部５２による反応容器識別子を読取りは、反応庫５が回転する方向に順に行われ、最終的に載置部５ａに載置された全ての反応容器５１について行われる。次に、図示しない載置位置番号付与部は、反応容器識別子を読取った順に載置位置番号を付与する。この処理により、図６に示すような反応容器と載置位置との対応情報が生成される。生成された対応情報により、検出部６０は、所望の反応容器５１が、載置部５ａのどの位置にあるのかを判断することができる。これにより、検出部６０は、反応容器５１の動きを分析制御部２５による制御情報から追跡することができる。
【０１１６】
分注先の反応容器５１の特定の第３の例として、自動分析装置１０による検体の測定前準備において、載置部５ａの所定の載置位置と載置位置番号と対応を予め設定しておき、この載置位置対応情報を記憶部５０に記憶しておくことが挙げられる。この場合、載置位置対応情報は、ステップＳ００９において、分注元の試料容器６１に収容された検体の検体ＩＤと、分注先の反応容器５１が載置された載置位置番号とが対応付けられた情報となる。これにより、検出部６０は、この載置位置番号に対応する位置に載置された反応容器５１の動きを分析制御部２５による制御情報から追跡することができる。また、この場合、検出部６０は、反応容器５１の動きの追跡に反応容器ＩＤを使用しないので、反応容器識別子読取部５２を設ける必要がなくなる。
【０１１７】
このように、検出部６０は、特定検体が収容された試料容器６１を特定し、この試料容器６１から特定検体を分注した反応容器５１を特定することで、特定検体の追跡を行う。
【０１１８】
特定検体が収容された反応容器５１に、第１試薬、第２試薬等の試薬を分注して混合液を調製する（ステップＳ０１１）。この試薬の分注は、第１試薬分注プローブ８及び／又は第２試薬分注プローブ９によって行われる。
【０１１９】
次に、測光ユニット１２は、特定検体を含む混合液の吸光度測定を開始する（ステップＳ０１２）。このとき、検出部６０は、特定検体を含む混合液の吸光度測定が開始されたことを検出し、この検出の情報をシステム制御部７０に出力する。この検出の情報を受けたシステム制御部７０は、報知部９３を制御する。システム制御部７０からの制御を受けた報知部９３は、特定検体を含む混合液の吸光度測定開始を外部に報知する（ステップＳ０１３）。この検出は、例えば、図８に示す特定検体と反応容器との対応情報と、システム制御部７０による反応容器５１の制御情報から行うことができる。
【０１２０】
この場合、報知部９３は、例えば、ブザーを鳴らすことで特定検体の測定開始を外部に報知する。また、この場合、システム制御部７０は、表示部９１を制御する。システム制御部７０からの制御を受けた表示部９１は、測定が開始された混合液に含まれる特定検体の検体情報を表示画面に表示する（ステップＳ０１４）。特定検体の検体情報は、例えば、この検体に対応する患者の患者ＩＤ、患者名、性別、年齢等である。これにより、自動分析装置１０の操作者は、測定が開始された特定検体に対応する患者等の情報を知ることができる。
【０１２１】
図９は、吸光度測定が開始された特定検体の検体情報が表示された表示画面５１０の一例を示す。図９に示すように、表示画面５１０には、特定検体測定開始測定情報として、測定開始の時刻と、測定が開始された特定検体の検体情報が示されている。特定検体の検体情報は、特定検体に対応する被検者の情報として後述するものから適宜選択できる。特定検体の検体情報は、例えば、検体ＩＤ、患者名、性別、年齢等、診療科、病棟等が挙げられる。
【０１２２】
ステップＳ０１３において、検出部６０は、特定検体を含む混合液の吸光度測定が開始したことを、例えば、以下の例に示すようにして検出する。
【０１２３】
第１の例として、上述した反応容器５１の特定の第１の例に基づいて、特定検体が分注された反応容器５１の特定を行う。具体的に、検出部６０は、特定検体が収容された反応容器に対応する反応容器ＩＤと、収容した検体に対し吸光度測定が開始された反応容器５１に対応する反応容器ＩＤとを照合する。この照合において反応容器ＩＤが一致する場合、検出部６０は、特定検体の測定が開始されたことを検出する。この場合、収容した検体に対し吸光度測定が開始された反応容器５１を識別するために、測光ユニット１２の近傍に、図示しない別の反応容器識別子読取部が設けられる。
【０１２４】
第２の例として、上記した反応容器５１の特定の第２の例に基づいて、特定検体が分注された反応容器５１の特定を行う。具体的に、検出部６０は、図６に示す反応容器と載置位置との対応情報と、分析制御部２５による反応容器５１の制御情報とに基づいて、特定検体が分注された反応容器５１の位置を検出することができる。また、収容した検体に対し測光ユニット１２で吸光度測定が開始された反応容器５１の、反応庫５における位置は既知である。そうすると、検出部６０は、反応容器と載置位置との対応情報と、分析制御部２５による反応容器５１の制御情報とに基づいて、測光位置に停止した反応容器５１を特定することができる。
【０１２５】
第３の例として、上記した反応容器５１の特定の第３の例に基づいて、特定検体が分注された反応容器５１の特定を行う。具体的に、検出部６０は、載置位置番号と、分析制御部２５による反応容器５１の制御情報とに基づいて、特定検体が分注された反応容器５１の位置を検出する。また、収容した検体に対し測光ユニット１２で吸光度測定が開始された反応容器５１の、反応庫５における位置は既知である。そうすると、検出部６０は、分析制御部２５による反応容器５１の制御情報に基づいて、測光位置に停止した載置部５ａの載置位置番号を取得する。これにより、測光位置に停止した反応容器５１を特定することができる。
【０１２６】
上述した第１の例、第２の例においては、図８に示すような特定検体の検体ＩＤと反応容器ＩＤとが対応付けされた特定検体と反応容器との対応情報が作成される。また、第３の例においては、特定検体の検体ＩＤと反応容器５１の載置位置番号とが対応付けされた特定検体と反応容器との対応情報が作成される。
【０１２７】
測光ユニット１２による、特定検体を含む混合液の吸光度測定が終了する（ステップＳ０１５）と、検出部６０は、特定検体を含む混合液の吸光度測定が終了したことを検出する。検出部６０は、この検出の情報をシステム制御部に７０に出力する。システム制御部７０は、報知部９３を制御する。システム制御部７０からの制御を受けた報知部９３は、特定検体を含む混合液の吸光度測定が終了したことを外部に報知する（ステップＳ０１６）。この場合、報知部９３は、例えば、ブザーを鳴らすことで特定検体の測定終了を外部に報知する。
【０１２８】
さらに、システム制御部７０からの制御を受けた表示部９１は、測定が終了した特定検体の測定結果を表示画面に表示する（ステップＳ０１７）。特定検体の測定結果は、通常検体の測定結果とは区別されて表示画面に表示される。特定検体の測定結果と、通常検体の測定結果とが同じ表示画面に表示される場合、例えば、それぞれ別のウィンドウで表示される。また、表示部９１の表示画面が複数ある場合、特定検体の測定結果と、通常検体の測定結果とが、それぞれ別の表示部９１に表示される。このとき表示部９１の表示画面に表示される情報は、検出された特定検体の検体情報を含んでいてもよい。
【０１２９】
特定検体の測定結果を表示画面に表示するタイミングは、例えば、特定検体を含む、複数の検体の測定が全て終了した後が挙げられる。このタイミングにおいて、システム制御部７０は表示部９１を制御して、検出された特定検体の測定結果を表示画面に一括で表示させる。また、このタイミングは、例えば、特定検体を含む、複数の検体が逐次測定されている場合に、特定検体の測定が終了したときが挙げられる。このタイミングにおいて、システム制御部７０は表示部９１を制御して、測定が終了した特定検体の測定結果を表示画面に逐次表示させる。
【０１３０】
図１０は、特定検体の測定結果が表示された表示画面２１０の一例を示した図である。この表示画面２１０には、特定検体の測定終了後に特定検体の測定結果が表示される。表示画面２１０には、特定検体の測定結果として、特定検体の吸光度測定の測定結果、吸光度の時系列変化である反応タイムコースを示すグラフ２１１、測定が終了した測定項目の一覧２１２等が示される。
【０１３１】
反応タイムコースを示すグラフ２１１は、測定対象となる物質の濃度時系列変化を示す反応曲線を示す。反応タイムコースを示すグラフ２１１は、データ処理部３０内に設けられた図示しないグラフ作成部により作成される。グラフ作成部は、分析部２４から出力された測定結果に基づいて反応タイムコースのグラフデータを作成処理する。
【０１３２】
また、測定項目の一覧２１２は、所望の測定項目を選択することで、その測定項目における、測定結果、反応タイムコースを示すグラフ２１１等が切り替わって表示される。操作者は、例えば、表示部９１の表示画面において、所望の測定項目が表示された部分をマウス等でクリックすることで、所望の測定項目の選択を行う。
【０１３３】
また、図１０は、特定検体の測定項目Ａにおける測定結果を示している。また、測定項目の一覧２１２において、注意すべき測定項目が強調表示される。これにより、操作者は、その特定検体において注意すべき測定項目を容易に把握することができる。この強調表示は、例えば、測定項目の一覧２１２における特定の項目が表示された部分に特定の色がつくこと等により他の項目と区別して示される。
【０１３４】
図１１は、この自動分析装置１０の動作の他の一例を示すフローチャートである。この自動分析装置１０は、記憶部５０に予め登録された特定検体に該当する検体の吸光度測定が開始された時に、この測定の開始を外部に報知するように動作する。さらに、特定検体の測定を終了する時に、測定の終了があったことを外部へ報知するように動作する。また、特定検体の測定の開始後に、表示部においてその測定結果をリアルタイムに表示可能とするとともに、特定検体の測定終了後にその測定結果を表示部に表示するように動作する。
【０１３５】
このフローチャートにおけるステップＳ０２０〜Ｓ０３３までの処理は、図７に示したフローチャートのステップＳ００１〜Ｓ０１４までの処理と同様である。この処理によって、特定検体の吸光度測定が開始されたことを操作者が把握する。
【０１３６】
特定検体の吸光度測定が開始され、この吸光度測定の測定中に測定状況の表示が要求される（ステップＳ０３４：ＹＥＳ）と、システム制御部７０は、表示部９１を制御する。システム制御部７０に制御された表示部９１は、表示画面に特定検体に対する吸光度測定の測定状況を含む情報を表示する（ステップＳ０３５）。このとき、表示部９１に表示される情報は、この特定検体の検体情報を含んでいてもよい。また、この吸光度測定の測定中に測定状況の表示が要求されなければステップＳ０３６に進む（ステップＳ０３４：ＮＯ、ステップＳ０３６）。
【０１３７】
ステップＳ０３４において、測定状況の表示の要求は、例えば、以下に示すようにして行われる。特定検体の吸光度測定が開始すると、ステップＳ０２０〜Ｓ０３３における処理により、表示部９１の表示画面に、吸光度測定が開始された特定検体の検体情報が表示される。この特定検体の検体情報には、測定状況の詳細を表示するリンクが設けられている。操作者は、このリンクをマウス等で選択することにより、測定状況の表示の要求をすることができる。
【０１３８】
図１２は、特定検体の測定状況を示す表示画面３１０の一例を示した図である。特定検体の吸光度が測定されている場合、表示画面３１０には、測定進捗バー３１１と、サンプリング時間と、測定終了予想時刻と、測定項目一覧３１２と、反応タイムコースを示すグラフ３１３とが少なくとも表示される。
【０１３９】
サンプリング時間は、測光ユニット１２で、この特定検体に対する吸光度測定が行われる時間である。測光ユニット１２における、吸光度測定の回数、吸光度測定の時間間隔は、検体、測定項目等に応じて予め設定されている。この設定は、例えば、記憶部５０に記憶されている。
【０１４０】
測定終了予想時刻は、図示しない測定終了予想時刻算出手段により算出される。測定終了時刻算出手段は、予め設定された吸光度測定の回数と、現時点で測定が完了した吸光度測定の回数との差分をとる。次に、測定終了時刻算出手段は、この差分に吸光度測定の時間間隔を掛け合わせることで、残りの時間を算出する。次に、測定終了時刻算出手段は、残りの時間と現在時刻から測定終了予想時刻を算出する。
【０１４１】
測定進捗バー３１１は、追跡している特定検体における測定の進捗状況を示している。測定進捗バー３１１は、可動部３１１ａを有する。可動部３１１ａは、測定進捗バー３１１の左端から右端へ移動可能に構成される。測定進捗バー３１１における可動部３１１ａの位置は、特定検体に対する自動分析装置１０の測定が、どれだけ進んだかを示している。この位置は、例えば、測光ユニット１２によるサンプリングの回数に対応している。
【０１４２】
例えば、可動部３１１ａが測定進捗バー３１１の左端にある場合、測光ユニット１２によるサンプリングが１回行われたことを示す。可動部３１１ａは、測光ユニット１２でサンプリングが行われる毎に測定進捗バー３１１上を右に移動する。測光ユニット１２によるサンプリングの回数が規定のサンプリング回数となると、可動部３１１ａは測定進捗バー３１１の右端に位置することとなる。このように、測定進捗バー３１１上の可動部３１１ａの位置により、測光ユニット１２による吸光度測定の進捗状況を知ることができる。
【０１４３】
測定項目一覧３１２及び反応タイムコースを示すグラフ３１３は、図１０において前述した測定項目の一覧２１２及び反応タイムコースを示すグラフ２１１と同様な構成を有する。グラフ３１３は、図示しないグラフ作成部で作成される。このグラフ作成部は、分析部２４から出力された測定結果をリアルタイムに取得する。このグラフ作成部は、取得した測定結果に基づいて反応タイムコースのグラフデータをリアルタイムに作成処理する。また、反応タイムコースを示すグラフ３１３が表示画面に表示されている場合、分析部２４から新たな測定結果が出力されると、このグラフ作成部は、この新たな測定結果に基づいて反応タイムコースのグラフデータを更新することができる。
【０１４４】
測光ユニット１２による、特定検体を含む混合液の吸光度測定が終了する（ステップＳ０３６）と、検出部６０は、特定検体を含む混合液の吸光度測定が終了したことを検出する。検出部６０は、この検出の情報を、システム制御部に７０に出力する。この検出の情報を受けたシステム制御部７０は、報知部９３を制御する。システム制御部７０に制御された報知部９３は、特定検体を含む混合液の吸光度測定が終了したことを外部に報知する（ステップＳ０３７）。
【０１４５】
さらに、この検出の情報を受けたシステム制御部７０は、表示部９１を制御する。システム制御部７０に制御された表示部９１は、測定が終了した混合液に含まれる特定検体の測定結果を表示画面に表示する（ステップＳ０３８）。表示部９１は、例えば、図１０に示したものと同様な測定結果を、表示画面に表示する。
【実施例】
【０１４６】
次に、この実施形態の自動分析装置１０の実施例について説明する。この実施例は図１１に示すフローチャートに対応している。
【０１４７】
患者Ａは、骨折のしたため外科病棟に入院している。患者Ａは持病があり、入院している病院とは別の病院から飲み薬（薬剤）が処方されている。
【０１４８】
この薬剤は、血液中に入ると、自動分析装置による測定結果が異常となる場合がある。例えば、自動分析装置による血液検査の測定項目Ａにおいて、測定結果の値が通常の値よりも高い値を示す傾向がある。一方、自動分析装置による血液検査の測定項目Ｂの測定結果の値は通常の値よりも低い値を示す傾向がある。患者Ａは、この薬剤を飲んでいることを医師等に伝えており、医師等もこのことを把握している。
【０１４９】
患者Ａは、骨折の治療に関連して血液検査をすることとなった。この血液検査は自動分析装置で行われる。自動分析装置の操作に慣れた熟練者である検査技師Ｂは、患者Ａが薬剤を飲んでいることを把握している。
【０１５０】
検査技師Ｂは、自動分析装置による測定において、患者Ａに対応する検体の監視、追跡が必要であると判断した。そこで、検査技師Ｂは、この血液検体の自動分析装置による測定前の準備において、患者Ａの血液検体Ｄを特定検体として予め登録することとした。
【０１５１】
検査技師Ｂは、この血液検体を測定する自動分析装置の表示画面に、図１３に示すような追跡検体登録の入力画面Ｍを表示させた。検査技師Ｂは、入力画面Ｍを参照して、患者Ａの情報、血液検体Ｄの情報などを操作部から入力した。この情報は、特定検体情報０２１番として記憶部に記憶される（ステップＳ０２０〜Ｓ０２３に対応）。
【０１５２】
追跡検体登録の入力画面Ｍは、「検体ＩＤ」、「患者名」、「性別」、「年齢」、「診療科」、「病棟」及び「測定項目」の情報の入力が可能な入力ボックスを有する。
【０１５３】
検査技師Ｂは、入力ボックスに患者Ａに対応する「検体ＩＤ」、「患者名」、「性別」、「年齢」、「診療科」、「病棟」及び「測定項目」を入力する。検査技師Ｂは、「測定項目」の入力ボックスに、吸光度測定において特に注意が必要な、血液検査の測定項目Ａ及び測定項目Ｂを入力する。
【０１５４】
血液検体Ｄを自動分析装置で実際に測定する検査技師Ｃは、自動分析装置の操作に不慣れな初心者である。検査技師Ｃは、自動分析装置を正しく使うことに注力している。検査技師Ｃは、血液検体Ｄの測定について注意が必要であることは把握していた。しかしながら、自動分析装置は、例えば、１日に数百検体を測定する。そのため、検査技師Ｃに、試料容器を１本１本完全にチェックして血液検体Ｄを確認する余裕はない。
【０１５５】
血液検体Ｄを収容した試料容器Ｅが、自動分析装置が設置されている検査室に運ばれてきた。しかしながら、そのことを検査技師Ｃは把握していない。試料容器Ｅに血液検体Ｄが収容されているという情報は、検体と試料容器との対応情報としてＬＩＳに保管されている。また、試料容器ＥはラックＦに載置されている。さらに、ラックＦは、自動分析装置の搬送手段であるラックサンプラに載置されている。
【０１５６】
ラックＦは、ラックサンプラにより、自動分析装置に備えられた試料分注プローブの近傍である試料分注位置に送られた。この試料分注プローブが試料容器Ｅに収容された血液検体Ｄに対する分注動作を開始した。これにより、血液検体Ｄに対する自動分析装置の測定動作が開始された（ステップＳ０２４に対応）。
【０１５７】
試料容器Ｅの側面にはラベルが貼付されており、このラベルにはバーコードが印刷されている。このバーコードには、試料容器ＩＤの情報が含まれている。
【０１５８】
ラックＦは、試料分注位置に移動すると一旦停止した。ラックＦが停止する位置の近傍には、バーコードリーダが備えられている。バーコードリーダは、ラックの移動を妨げなく、かつ、ラベルに印刷されたバーコードを読み取り可能な位置に備えられている。
【０１５９】
ラックＦが一旦停止すると、バーコードリーダは、試料容器Ｅに貼付されたラベルに印刷されたバーコードを読み取った。
【０１６０】
読み取ったバーコードの情報には、試料容器Ｅを識別する試料容器ＩＤの情報が含まれている。自動分析装置は、この試料容器ＩＤの情報と、ＬＩＳに予め保管されている検体と試料容器との対応情報とから、試料容器Ｅに収容された検体に対応する検体ＩＤを取得した。この検体ＩＤは、血液検体Ｄを識別する検体ＩＤである。
【０１６１】
自動分析装置は、血液検体Ｄを識別する検体ＩＤと、特定検体として登録された検体ＩＤとを照合した。
【０１６２】
特定検体として登録された検体ＩＤの一覧には、血液検体Ｄを識別する検体ＩＤが含まれている。このように、試料容器Ｅに収容された血液検体Ｄを識別する検体ＩＤは、特定検体として登録された検体ＩＤと一致する。そのため、自動分析装置は、血液検体Ｄを特定検体として検出した（ステップＳ０２５に対応）。
【０１６３】
試料分注プローブは、試料容器Ｅから、反応容器Ｇへ血液検体Ｄを分注した（ステップＳ０２６に対応）。自動分析装置は、血液検体Ｄが特定検体であることを把握している（ステップＳ０２７：ＹＥＳに対応）。自動分析装置は、血液検体Ｄを識別する検体ＩＤと、反応容器Ｇを識別する反応容器ＩＤとを対応付けた。自動分析装置は、反応容器Ｇの載置位置情報と、ＬＩＳに予め保管されている反応容器と載置位置との対応情報とから、反応容器ＩＤを特定し、この反応容器ＩＤと、血液検体Ｄを識別する検体ＩＤとを対応付けた（ステップＳ０２８に対応）。
【０１６４】
反応容器Ｇに、第１試薬及び第２試薬が添加されることで、血液検体Ｄを含む混合液が調製された（ステップＳ０３０に対応）。
【０１６５】
自動分析装置に備えられた反応庫が回転することにより反応容器Ｇが測光位置に移動し、自動分析装置に備えられた測光ユニットにより吸光度測定が開始された（ステップＳ０３１に対応）。このとき、自動分析装置は、特定検体を含む混合液の測定開始されたことを検知した。自動分析装置は、この検出と同時に、特定検体の吸光度測定が開始したこと外部に報知するブザーを鳴らした（ステップＳ０３２に対応）。
【０１６６】
検査技師Ｃは、このブザーを聞いて特定検体の吸光度測定が開始されたことを認識した。表示画面には、血液検体Ｄの検体情報である患者Ａの名前、患者Ａの患者ＩＤ、患者Ａの投薬情報等が表示されていた（ステップＳ０３３に対応）。そこで、検査技師Ｃは患者Ａの血液検体Ｄが、吸光度測定中であることを認識した。また、この表示画面には、血液検体Ｄの測定状況を示す画面へのリンクが表示されている。検査技師Ｃは、このリンクを選択し（ステップＳ０３４に対応）、血液検体Ｄの測定状況を示す画面を表示した（ステップＳ０３５に対応）が、測定が進んでいないので有用な情報は得られなかった。
【０１６７】
検査技師Ｃは、血液検体Ｄの測定がある程度進む時間まで待ち、再度、血液検体Ｄの測定状況を示す情報を表示画面に表示させた。検査技師Ｃは、さらに、表示画面に表示された測定項目一覧に示されている１２の項目のうち、強調表示されている測定項目Ａを選択する。この選択操作により、測定項目Ａに対応する反応タイムコースを表示画面に表示された。表示画面はタッチパネルとなっている。そのため、表示画面のうち、測定項目Ａが表示されている部分に触れると、表示画面には測定項目Ａに対応するタイムコースが表示される。この表示画面に表示された測定項目Ａに対応するタイムコースは、第１試薬の添加後第２試薬の添加前までの吸光度の時系列変化を示していた。測定項目Ａのタイムコースに示された血液検体Ｄに含まれる物質の吸光度の時系列変化は、第１試薬の添加後の反応にふらつきが出ていることを示している。
【０１６８】
検査技師Ｃは、さらに所定時間待ってから、同様に強調表示されている測定項目Ｂを選択して、測定項目Ｂに対応する反応タイムコースを表示画面に表示させた。測定項目Ｂは測定の最中であったので、表示画面には反応タイムコースの途中までが表示された。この測定項目Ｂのタイムコースに示された血液検体Ｄに含まれる物質の吸光度の初期値は、正常値の初期値と比較して全体的に低い値を示していた。検査技師Ｃは、これら情報から、患者Ａが血液採取前に薬剤を飲んだのではないかと考えたが、自動分析装置による血液検体Ｄの測定終了までこの考えによる判断を保留した。
【０１６９】
自動分析装置は、血液検体Ｄの全ての測定項目における測定が終了したことを受けて、自動分析装置は血液検体Ｄの測定終了を検出した（ステップＳ０３６に対応）。続いて、自動分析装置は特定検体の測定終了を意味するブザーを鳴らした（ステップＳ０３７に対応）。さらに、自動分析装置は、測定結果を示す情報を表示画面に表示した（ステップＳ０３８に対応）。
【０１７０】
検査技師Ｃは、表示画面に表示された測定結果の情報から、血液検体Ｄに関する全ての測定項目に対応するタイムコースを確認した。この時点では、血液検体Ｄの測定結果は外部のサーバ（ＬＩＳ、ＨＩＳ等）に送信されていない。
【０１７１】
表示画面に表示された測定結果の情報に含まれる測定１２項目のうち、測定項目Ａ及び測定項目Ｂを除く１０項目の結果にはエラーフラグが付かなかった。このことから、検査技師Ｃは、この１０項目における測定結果には特に問題は無いと判断した。
【０１７２】
一方、測定項目Ａの測定結果に対応する反応タイムコースは、第２試薬添加後も前述した吸光度の値のふらつきは安定しておらず、最終的な測定結果の値は通常の値よりも高かった。この最終的な測定結果の値は正しい反応ではない。そのため、検査技師Ｃは、この測定結果を、血液検体Ｄの測定項目Ａの測定結果として報告はできない。
【０１７３】
また、測定項目Ｂの測定結果に対応する反応タイムコースは、一見正常な反応過程を経ているように見えるが、正常値と比較して吸光度の値が全体として低値傾向であった。検査技師Ｃは、これら情報から、測定項目Ａの測定及び測定項目Ｂの測定において、これら測定結果が薬剤による影響を受けていると判断した。
【０１７４】
このため、検査技師Ｃは、前記の１０項目において取得された測定結果をそのまま報告すると判断した。また、検査技師Ｃは、測定項目Ａにおいて取得された測定結果を測定不可として報告せず、測定不可の情報に薬剤影響のフラグを追加して報告すると判断した。また、検査技師Ｃは、測定項目Ｂにおいて取得された測定結果を、薬剤の影響有りのフラグを追加し参考値として報告することとした。
【０１７５】
検査技師Ｃは、血液検体Ｄの全測定項目の測定の結果をサーバーに送信することで、前述の報告を行った。これら測定結果は、医師等が使用する端末の表示画面において表示することができる。また、これら測定結果は、印刷することもできる。また、これら測定結果は、外部コンピュータにも伝送される。これらのことにより医師等は、自動分析装置による測定結果が異常を示すものであっても、追加されたフラグ等からその原因を把握する事が可能となる。
【０１７６】
［自動分析装置の作用、効果］
この実施形態の自動分析装置１０は、予め設定された特定検体に対する吸光度測定が開始されると、その測定の開始を外部に報知し、特定検体に対する吸光度測定が終了すると、その測定の終了を外部へ報知する。さらに、表示部９１は、特定検体に対する吸光度測定の開始後から、表示画面にその吸光度測定の過程をリアルタイムに表示する。また、表示部９１は、特定検体の測定終了後にその吸光度測定の最終的な結果を表示画面に表示する。自動分析装置１０は、このような構成を有するので、測光ユニット１２で行われる特定検体に対する吸光度測定の状況を簡易に監視可能となる。
【０１７７】
また、この実施形態の自動分析装置１０は、特定検体の吸光度の測定終了時に、その測定の終了があったことを外部へ報知するので、特定検体の吸光度の測定結果を素早く確認することができる。
【０１７８】
例えば、特定検体が、自動分析装置による測定が急がれる検体である場合、この特定検体の測定結果を、優先的に医師等に報告する必要がある。このとき、医師等にこの測定結果を報告前に、検査技師等がその測定結果が正常であるか確認することがある。
【０１７９】
この実施形態の自動分析装置１０は、特定検体の吸光度の測定終了と同時に、その測定の終了を外部に報知するとともに、測定結果を表示画面に自動的に表示する。このとき、表示画面において、特定検体の測定結果は通常検体の測定結果とは独立して表示される。これにより、検査技師等は、特定検体の測定結果を検索することなく、その場で特定検体の測定結果を確認することができる。その結果、自動分析装置による測定結果の確度を保ちつつも、従来よりも素早く医師等に測定結果の報告をすることができる。
【０１８０】
また、特定検体が、例えば、検査の結果が異常となる恐れのあるような検体である場合、検査技師等は、吸光度の測定結果を全測定項目に亘って詳しくチェックする必要がある。
【０１８１】
自動分析装置１０は、表示画面に表示された特定検体の測定結果から、所定の操作をすることで全測定項目に亘る測定結果を詳細に表示することができる。これにより、吸光度測定の結果が異常となる恐れのある特定の測定項目を、吸光度測定の終了した直後にチェックすることができる。その結果、検査結果を素早く医師等に報告できるとともに、誤った検査結果を医師等に報告することを少なくすることができる。
【０１８２】
また、特定検体が、例えば、自動分析装置による測定結果が異常となる恐れのあるような検体である場合、自動分析装置による再測定（再検査）をなるべく早く行いたい。
【０１８３】
自動分析装置１０は、特定検体の吸光度測定開始後から、表示部９１においてその吸光度測定の過程をリアルタイムに表示できる。そのため、検査技師等は、このリアルタイム表示に基づいて、特定検体の吸光度の測定中に測定異常を判断することができる。さらに、検査技師等が、測定異常を判断した時点で、この特定検体の再検査の準備をすることができる。つまり、検査技師等は、特定検体の吸光度測定の終了を待たずに、この特定検体の再測定の準備をすることができる。その結果、自動分析装置による測定結果に異常が認められる特定検体の再検査を素早くすることができる。
【０１８４】
＜第２の実施形態＞
次に、第２の実施形態に係る自動分析装置１０について図面を参照して説明する。
【０１８５】
［自動分析装置］
この実施形態の自動分析装置１０は、予め設定された情報から特定検体に該当する検体を識別する。さらに、この自動分析装置１０に備えられた報知部９３は、特定検体の吸光度の測定が開始されると、その測定の開始を外部に報知し、特定検体の吸光度の測定が終了すると、その測定の終了を外部へ報知する。また、この自動分析装置１０に備えられた表示部９１は、特定検体の吸光度の測定の開始後から、表示画面にその測定結果をリアルタイムに表示するとともに、特定検体の吸光度の測定終了後にその測定結果を表示画面に表示する。
【０１８６】
［自動分析装置の機能的構成］
この実施形態の自動分析装置１０の機能的構成は、下記に示す構成以外は第１の実施形態と同様な構成を有する。
【０１８７】
［記憶部］
記憶部５０には、被検者情報が記憶されている。記憶部５０は、被検者情報記憶部の機能を備えている。また、記憶部５０には、検体と被検者との対応情報、被検者と被検者情報との対応情報、及び特定情報と注目する測定項目との対応情報が記憶されている。
【０１８８】
特定情報は、前述したように、分析部２４における検体測定において異常測定の原因となりうる情報である。特定情報は、例えば、年齢、特定の既往症の情報、特定の羅患情報等が挙げられる。特定情報は、例えば、記憶部５０に予め記憶されている。この特定情報は、検出部６０において、検体の識別情報に対応する被検者の個人情報と照合される。このとき、被検者の個人情報に特定情報を有する場合には、その検体が特定検体として検出される。
【０１８９】
検体と被検者との対応情報は、検体と、その検体が採取された被検者との対応情報である。検体と被検者との対応情報は、例えば、検体ＩＤと、その検体ＩＤに対応する検体が採取された被検者の被検者ＩＤとが対応付けられたものが挙げられる。また、被検者と被検者情報との対応情報は、例えば、被検者ＩＤと、被検者の情報とが対応付けられたものが挙げられる。
【０１９０】
図１４は、検体と被検者との対応情報の一例を示す表である。この表は、検体の情報と被検者との対応情報を示している。図１４に示すように、この表には、検体ＩＤと被検者ＩＤとが対応付けられて示されている。
【０１９１】
図１５は、特定情報と注目する測定項目との対応情報の一例を示す表である。図１５に示すように、特定情報と注目する測定項目との対応情報は、特定情報と、その特定情報において特に注目すべき測定項目の番号とが対応付けられて示されている。
【０１９２】
また、記憶部５０には、特定検体の情報として、特定の被検者の情報が予め記憶されている。特定の被検者とは、通常の被検者と区別された被検者をいう。特定の被験者は、例えば、採取された検体の測定結果に異常が生じる蓋然性が高い被検者、採取された検体の測定結果を早急に確認する必要のある被検者等が挙げられる。これらに挙げた被検者は、他の被検者と区別するために特定の被検者となる。
【０１９３】
採取された検体の測定結果に異常が生じる蓋然性が高い被検者は、例えば、特定の病歴を持つ患者、特定の持病がある被検者、特定のアレルギーがある被検者、薬剤の処方がされている被検者、乳幼児等が挙げられる。
【０１９４】
採取された検体の測定結果を早急に確認する必要のある被検者は、例えば、緊急搬送され早急に処置が必要な被検者、採取された検体が再検査となった被検者等が挙げられる。
【０１９５】
特定の被検者の情報は、例えば、操作者等による操作部８０からの入力により検体測定前に予め入力される。検出部６０は、例えば、検体の吸光度の測定時に、特定の被検者の情報を取得することができる。
【０１９６】
被検者は、例えば、健康診断の受診者、患者等である。被検者の情報は、例えば、被検者ＩＤを含む。被検者ＩＤは、被検者に付された被検者ＵＩＤである。被検者ＵＩＤは、例えば、患者ＩＤ（患者ＵＩＤ）、受診者ＩＤ（受診者ＵＩＤ）等が挙げられる。検出部６０は、この被検者ＵＩＤに基づいて特定の被検者を識別する。
【０１９７】
また、被検者の情報は、例えば、被検者の個人情報を含む。被検者の個人情報は、例えば、氏名、年齢、身体情報、既往症の情報、通院歴の情報等が挙げられる。身体情報は、例えば、身体における一般的な情報、羅患情報等が挙げられる。
【０１９８】
身体における一般的な情報は、例えば、身長、体重、血圧、アレルギー情報、個人的な特性等の情報等が挙げられる。また、個人的な特性としては、例えば、遺伝的な要因によるもの等が挙げられる。
【０１９９】
羅患情報は、例えば、現在罹患している病気の情報、現在の治療実施状況等が挙げられる。既往症の情報は、例えば、病歴の情報、持病の情報等が挙げられる。病歴は、例えば、過去に羅患した病気の情報等が挙げられる。また、病気の情報は、例えば、病名、この病気に関する過去の治療実施情報、カルテ情報、投薬情報等が挙げられる。
【０２００】
記憶部５０には、特定検体の情報、特定の被検者の情報、特定情報のうちの少なくとも１つが記憶されている。
【０２０１】
また、自動分析装置１０に記憶手段２００が接続される場合、前述した記憶部５０に記憶される情報の一部若しくは全部が記憶手段２００に記憶されるようにしてもよい。
【０２０２】
［検出部］
検出部６０は、記憶部５０に記憶された特定の被検者の情報に基づいて特定検体の情報を取得する。検出部６０は、さらに第１の実施形態と同様にして、試料容器６１に収容されたこの特定検体を検出する。
【０２０３】
つまり、検出部６０は、検体ＩＤを受けて、検体ＩＤと、検体ＩＤと被検者の情報との対応情報とから、検体ＩＤに対応する被検者の情報を取得する。検出部６０は、さらに、この被検者の情報と、特定の被検者の情報とを照合することで特定検体が収容された試料容器６１を検出する。
【０２０４】
検体ＩＤと被検者の情報との対応情報の一例として、検体と被検者との対応情報が挙げられる。検出部６０は、検体と被検者との対応情報から、特定の被検者に対応する検体を取得する。検出部６０は、この検体を、特定検体として取得する。
【０２０５】
また、検出部６０は、以下に示すようにして、特定情報から特定検体の情報を取得する。まず、試料容器識別子読取部６２と識別処理部４２にとより、試料容器６１の試料容器ＩＤを取得する。検出部６０は、取得した試料容器ＩＤに対応する検体ＩＤを、記憶部５０に記憶された検体と試料容器との対応情報に基づいて取得する。
【０２０６】
次に、検出部６０は、取得した検体ＩＤに対応する被検者ＩＤを、記憶部５０に予め記憶された検体と被検者との対応情報に基づいて取得する。
【０２０７】
次に、検出部６０は、取得した被検者ＩＤに対応する被検者情報を記憶部５０に予め記憶された被検者と被検者情報との対応情報に基づいて取得する。
【０２０８】
次に、検出部６０は、取得した被検者情報と、記憶部５０に記憶された特定情報とを照合する。被検者情報に特定情報と合致する情報がある場合、検出部６０は、この被検者ＩＤに対応する検体を特定検体として検出する。
【０２０９】
また、検出部６０は、特定情報と注目する測定項目との対応情報に基づいて、合致した特定情報から注目すべき測定項目を取得する。検出部６０は、この特定検体を含む混合液の吸光度の測定結果を表示部９１の表示画面に表示する。この表示画面には、例えば、この特定検体に対応する注目すべき測定項目の測定結果が強調されて表示される。
【０２１０】
［自動分析装置の使用形態］
次に、この自動分析装置１０の動作について説明する。この実施形態の自動分析装置１０の使用形態は、下記に示すこと以外は第１の実施形態と同様である。
【０２１１】
図１６は、この自動分析装置１０の動作の一例を示すフローチャートである。この自動分析装置１０は、予め設定された特定検体の情報に基づいて特定検体を取得するように動作する。この場合、特定検体の情報は特定の被検者の情報である。自動分析装置１０は、特定検体に該当する検体を特定した後、第１の実施形態と同様に、特定検体に該当する検体の吸光度測定が開始された時に、この測定の開始を外部に報知するように動作する。さらに、特定検体の測定が終了する時に、測定の終了があったことを外部へ報知するように動作する。さらに、特定検体の測定終了後にその測定結果を表示画面に表示するように動作する。
【０２１２】
まず、自動分析装置１０の操作者は、自動分析装置１０による検体の測定前準備を行う（ステップＳ０４０）。操作者は、特定の被検者に対応する被検者ＩＤを操作部８０から入力する（ステップＳ０４１）。
【０２１３】
操作部８０から入力された被検者ＩＤは、検出部６０に入力される。この被検者ＩＤを受けた検出部６０は、記憶部５０に予め記憶された検体と被検者との対応情報とから、この被検者ＩＤに対応する検体ＩＤを取得する（ステップＳ０４２）。検出部６０は、検体と被検者との対応情報として、例えば、図１２に示したものを用いる。検出部６０は、さらにこの特定検体の検体ＩＤを記憶部５０に特定検体の検体ＩＤとして記憶させる（ステップＳ０４３）。このとき、検出部６０は、特定検体の検体ＩＤが記憶部５０に記憶されたことを把握する。
【０２１４】
その後の処理は、特定検体の検体ＩＤを用いて、図７に示したフローチャートのステップＳ００２〜Ｓ０１７と同様な処理を行うことができる（ステップＳ０４４〜Ｓ０５９）。具体的に、特定検体の測定開始と測定終了とを外部に報知し、特定検体の測定結果等を表示部９１の表示画面に表示する。また、その後の処理は、特定検体の検体ＩＤを用いて、図１１に示したフローチャートのステップＳ０２１〜Ｓ０３８と同様な処理を行ってもよい。これにより、特定検体の吸光度測定の開始後に、表示画面においてその測定過程がリアルタイムに表示され、特定検体の吸光度の測定終了後にその測定結果が表示画面に表示される。
【０２１５】
また、操作部８０から入力される情報は、特定の被検者の情報に加えて、測定項目等の別の情報を含んでいてもよい。
【０２１６】
被検者ＩＤに加えて、測定項目を操作部８０から入力する例として、例えば、自動分析装置による測定において一部の測定項目が再検査となった検体の、測定結果を確認したい場合が挙げられる。また、例えば、自動分析装置による特定の測定項目の測定において、その測定結果に異常が生じる蓋然性が高い場合が挙げられる。その理由は、いずれの場合においても、特定の被検者から採取された検体の測定状況を、特定の測定項目において追跡する必要があり、測定前に特定の被検者の情報と、特定の測定項目の情報とを特定しておく必要があるからである。
【０２１７】
また、図１６のフローチャートに示す処理において、検出部６０が試料容器ＩＤに対応する検体ＩＤを取得するタイミングを、試料容器識別子読取部６２が、その試料容器６１の試料容器識別子を読み取ったときとしてもよい。
【０２１８】
図１７は、この自動分析装置１０の動作の他の一例を示すフローチャートである。この自動分析装置１０は、予め設定された特定情報と、検体に対応する被検者の被検者情報とを照合し、この被検者情報に特定情報が含まれる場合、その検体を特定検体として取得するように動作する。この場合、特定情報は、例えば、年齢、特定の既往症の情報、特定の羅患情報等である。また、特定情報は、被検者の個人情報として前記に挙げたものから適宜選択することができる。
【０２１９】
まず、自動分析装置１０の操作者は、自動分析装置１０による検体の測定前準備を行う（ステップＳ０７０）。操作者は、特定検体を特定するための特定情報を、操作部８０から入力する（ステップＳ０７１）。
【０２２０】
操作部８０から入力された特定情報は、例えば、記憶部５０に入力され、検出部６０は、この特定情報を記憶部５０に出力する。記憶部５０は、この特定情報を記憶する（ステップＳ０７２）。このとき、検出部６０は、記憶部５０に特定情報が記憶されていることを把握する。
【０２２１】
次に、検出部６０は、試料容器６１に収納された検体の検体ＩＤを取得する（ステップＳ０７３）。試料容器６１に収納された検体の検体ＩＤの取得は、例えば、以下に示すようにして行われる。まず、試料容器識別子読取部６２は、試料容器６１に付された試料容器識別子読み取ることによって読取情報を取得する。試料容器識別子読取部６２は、取得した読取情報を識別処理部４２に出力する。識別処理部４２は、この読取情報から試料容器ＩＤを取得し、この試料容器ＩＤを検出部６０に出力する。この試料容器ＩＤを受けた検出部６０は、記憶部５０に記憶された検体と試料容器との対応情報に基づいて検体ＩＤを取得する。
【０２２２】
次に、検出部６０は、取得した検体ＩＤに対応する被検者ＩＤを取得する（ステップＳ０７４）。被検者ＩＤは、記憶部５０に予め記憶された検体と被検者との対応情報に基づいて取得される。
【０２２３】
検出部６０は、さらに、取得した被検者ＩＤに対応する被検者の被検者情報を取得する（ステップＳ０７５）。被検者情報は、記憶部５０に予め記憶された被検者と被検者情報との対応情報に基づいて取得される。
【０２２４】
検出部６０は、取得した被検者情報と特定情報とを照合し、取得した被検者情報の中に特定情報と合致する情報がないか判定する（ステップＳ０７６）。特定情報は、前述したように記憶部５０に予め記憶されている。
【０２２５】
この判定において、被検者情報の中に特定情報と合致する情報がある場合（ステップＳ０７６：ＹＥＳ）、検出部６０は、この被検者情報に対応する被検者ＩＤを取得する。検出部６０は、さらに、この被験者ＩＤに対応する検体ＩＤを検体と被験者との対応情報に基づいて取得する（ステップＳ０７７）。検出部６０は、取得した検体ＩＤを特定検体の検体ＩＤとして記憶部５０に記憶する（ステップＳ０７８）。このとき、検出部６０は、特定検体の検体ＩＤが記憶部５０に記憶されたことを把握する。また、この判定において、被検者情報の中に特定情報と合致する情報がない場合には、ステップＳ０７９に進む（ステップＳ０７６：ＮＯ、ステップＳ０７９）。
【０２２６】
その後の処理は、図７に示したフローチャートのステップＳ００７〜Ｓ０１７と同様な処理を行うことができる（ステップＳ０７９〜Ｓ０８９）。また、その後の処理は、図１１に示したフローチャートのステップＳ０２６〜Ｓ０３８と同様な処理を行うようにしてもよい。これにより、表示部９１は、特定検体に対する吸光度測定の開始後から、表示画面にその吸光度測定の過程をリアルタイムに表示する。また、表示部９１は、特定検体の測定終了後にその吸光度測定の最終的な結果を表示画面に表示する。
【０２２７】
［自動分析装置の作用、効果］
この実施形態の自動分析装置１０は、第１の実施形態と同様な構成を有するので、第１の実施形態と同様な作用、効果を有する。
【０２２８】
さらに、検出部６０は、特定の被検者の情報から、自動的に特定検体を特定する。これにより、特定検体の検体ＩＤは把握していないが、特定の被検者の氏名は把握している場合に、例えば、その被検者の氏名を予め登録しておくことで、自動分析装置による検体の測定時に、その特定の被検者に対応する検体を追跡することができる。このことにより、自動分析装置による検体の測定において特定の被検者から採取された検体の測定を追跡したい場合、その検体に対応する検体ＩＤを調べなくてもその検体の追跡が可能となる。
【０２２９】
また、例えば、特定の被検者の検体が複数ある場合に、特定の被検者に対応する被検者ＩＤを登録することにより、その被検者の検体を一括で登録することができる。これにより、該当する被検者に対応する検体ＩＤを全て把握していなくても漏れなく登録することができる。さらに、検体ＩＤを逐一登録設定する手間を軽減することができる。
【０２３０】
加えて、検出部６０において、特定の被検者の情報から、自動的に特定検体を特定するようにした。これにより、特定の情報から特定検体を取得することができる。つまり、検体に対応する被検者の情報を把握していなくても、例えば、特定の薬剤が処方されている被検者という特定情報を予め登録しておくことで、該当する被検者の検体を全て特定検体として取得することができる。
【０２３１】
検出部６０は、特定情報に該当する被検者の検体を自動的に検出するので、被検者の情報を逐一把握していなくとも、例えば、測定結果に異常が生じる蓋然性が高い検体、早急に測定結果を確認したい検体等が自動的に特定検体として設定される。そのため、自動分析装置による検体の測定において、これら特定検体の測定の開始等を知ることができる。また、自動分析装置の測定前の準備において、事前に検体ＩＤや被検者ＩＤを入力する手間を軽減することができる。
【０２３２】
上記実施形態において説明した構成は、自動分析装置以外の臨床検査装置にも適用することができる。
【０２３３】
臨床検査装置としては、例えば、自動分析装置や血液ガス分析装置や電気泳動装置や液体クロマトグラフィー装置などの臨床化学分析機器、ラジオイムノアッセイ装置などの核医学機器、ラテックス凝集反応測定装置やネフェロメータなどの免疫血清検査機器、自動血球計数装置、血液凝固測定装置などの血液検査機器、微生物分類同定装置や血液培養検査装置やＤＮＡ・ＲＮＡ測定装置などの細菌検査機器、尿分析装置や便潜血測定装置などの尿検査機器、自動組織細胞染色装置などの病理検査機器、生理機能検査機器、マイクロピペットや洗浄装置分注装置や遠心分離装置などのその他の臨床検査機器等が挙げられる。
【０２３４】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０２３５】
１      試薬ラック
２      第１試薬庫
３      第２試薬庫
４      試薬容器
５      反応庫
５ａ    載置部
６      ディスクサンプラ
７      試料分注プローブ
８      第１試薬分注プローブ
９      第２試薬分注プローブ
１０    自動分析装置
１１    撹拌ユニット
１２    測光ユニット
１３    洗浄ユニット
１４    アーム
２４    分析部
２５    分析制御部
２６    機構部
２７    制御部
３０    データ処理部
３１    演算部
３２    データ記憶部
４０    識別部
４１    読取部
４２    識別処理部
４３    対応付け部
５０    記憶部
５１    反応容器
５２    反応容器識別子読取部
６０    検出部
６１    試料容器
６２    試料容器識別子読取部
６２Ａ  第１読取部
６２Ｂ  第２読取部
６３    ラック
６４    搬送路
６５    ラックサンプラ
７０    システム制御部
８０    操作部
９０    出力部
９１    表示部
９２    印刷部
９３    報知部
２００  記憶手段
【図１】
2015179022.tif 000003
【図２】
2015179022.tif 000004
【図３】
2015179022.tif 000005
【図４】
2015179022.tif 000006
【図５】
2015179022.tif 000007
【図６】
2015179022.tif 000008
【図７】
2015179022.tif 000009
【図８】
2015179022.tif 000010
【図９】
2015179022.tif 000011
【図１０】
2015179022.tif 000012
【図１１】
2015179022.tif 000013
【図１２】
2015179022.tif 000014
【図１３】
2015179022.tif 000015
【図１４】
2015179022.tif 000016
【図１５】
2015179022.tif 000017
【図１６】
2015179022.tif 000018
【図１７】
2015179022.tif 000019